(57)【要約】【課題】不審者が家へ侵入する状況など周辺の状況を外出先から認識できるようにする。【解決手段】電子機器１’は、マイクを通じて番犬の鳴き声が検出されると、カメラで撮影される画像情報及び集音された音声情報を情報記憶装置２’へ送信する。情報記憶装置２’は、電子機器１’から送られてきた音声情報に基づき声紋分析を行う。威嚇を示す声紋が検出された場合、画像情報及び音声情報を記憶部に記憶するとともに、当該情報を携帯情報端末５へ送信する。これにより、携帯情報端末５の表示部及びスピーカからそれぞれ画像情報及び音声情報が出力され、携帯情報端末５を携帯する者は、番犬の周辺で起こっている状況を知ることとなる。また、情報記憶装置２’は、再生要求を受けた場合、記憶部に記憶した画像情報及び音声情報を、当該情報記憶装置２’に接続されるＡＶ機器を通じて再生する。【選択図】      図８
2005107895.tif 000002
【特許請求の範囲】
【請求項１】
動物の鳴き声に対する声紋分析を行う分析手段と、
前記分析手段によって威嚇を示す声紋が検出された場合、前記動物の周辺の状況を示す情報を所定の端末へ伝える通信手段と、
を具備することを特徴とするセキュリティシステム。
【請求項２】
前記周辺の状況を撮影するカメラを更に具備し、
前記通信手段は、前記カメラによって撮影された画像を前記端末へ送信することを特徴とする請求項１記載のセキュリティシステム。
【請求項３】
前記カメラを前記動物に搭載させることを特徴とする請求項２記載のセキュリティシステム。
【請求項４】
前記通信手段を前記動物に更に搭載させることを特徴とする請求項３記載のセキュリティシステム。
【請求項５】
前記分析手段によって威嚇を示す声紋が検出された場合、前記動物の周辺の状況を示す情報を記憶する情報記憶手段と、
前記情報記憶手段に記憶された情報を再生する再生手段とを更に具備することを特徴とする請求項１記載のセキュリティシステム。
【請求項６】
前記周辺の状況を撮影するカメラを更に具備し、
前記情報記憶手段は、前記カメラによって撮影された画像を記憶することを特徴とする請求項５記載のセキュリティシステム。
【請求項７】
動物の鳴き声に対する声紋分析を行い、
前記分析において威嚇を示す声紋が検出された場合、前記動物の周辺の状況を示す情報の少なくとも一部を所定の端末へ伝える、
ことを特徴とするセキュリティ方法。
【請求項８】
前記周辺の状況をカメラで撮影し、
前記カメラで撮影した画像を前記端末へ送信する、
ことを特徴とする請求項７記載のセキュリティ方法。
【請求項９】
特定の動物の鳴き声に対する声紋分析を行い、
前記分析において威嚇を示す声紋が検出された場合、更に前記動物の周辺の状況を示す情報を情報記憶装置に記憶し、
前記情報記憶装置に記憶された情報を再生要求に応じて再生する、
ことを特徴とするセキュリティ方法。
【請求項１０】
前記周辺の状況をカメラで撮影し、
前記カメラで撮影した画像を前記情報記憶装置に記憶する、
ことを特徴とする請求項９記載のセキュリティ方法。
【発明の詳細な説明】
【技術分野】
【０００１】
本発明は、家などへ侵入する不審者を監視するセキュリティシステム及びセキュリティ方法に関する。
【背景技術】
【０００２】
従来、不審者が家へ侵入することを防止するため、番犬などがよく利用されている。この場合、家の中に居る者は、番犬の吠える声を聞き分けることにより、異常な状況を察知することができる。
【０００３】
ところで、特許文献１には、基地局に無線接続する装置を動物の首に備え、この装置から苦痛を感じている動物の声を示す信号を基地局へ送信する技術が開示されている。
【０００４】
また、特許文献２には、犬の鳴声から各種の感情を判別する技術が開示されている。
【特許文献１】米国特許第６，５３５，１３１ Ｂ１号公報
【特許文献２】実用新案登録第３０８３９１５号公報
【発明の開示】
【発明が解決しようとする課題】
【０００５】
しかしながら、家の者が外出中に不審者が現れた場合、番犬がいくら吠えたとしても、外出中の者はそのことに気が付くことはない。通信技術を利用して、番犬が威嚇しているときの感情を外出先の者に伝えることも考えられるが、番犬の周囲でいま具体的に何が起こっているのかを外出先から知ることはできない。例えば、不審者が現れた場合、外出先の者はその場で不審者の顔や容姿などを確認することはできない。
【０００６】
本発明は上記実情に鑑みてなされたものであり、不審者が家へ侵入する状況など周辺の状況を外出先から認識することのできるセキュリティシステム及びセキュリティ方法を提供することを目的とする。
【課題を解決するための手段】
【０００７】
本発明に係るセキュリティシステムは、動物の鳴き声に対する声紋分析を行う分析手段と、前記分析手段によって威嚇を示す声紋が検出された場合、前記動物の周辺の状況を示す情報を所定の端末へ伝える通信手段とを具備することを特徴とする。
【０００８】
また、本発明に係るセキュリティ方法は、動物の鳴き声に対する声紋分析を行い、前記分析において威嚇を示す声紋が検出された場合、前記動物の周辺の状況を示す情報の少なくとも一部を所定の端末へ伝えることを特徴とする。
【０００９】
また、本発明に係るセキュリティ方法は、特定の動物の鳴き声に対する声紋分析を行い、前記分析において威嚇を示す声紋が検出された場合、更に前記動物の周辺の状況を示す情報を情報記憶装置に記憶し、前記情報記憶装置に記憶された情報を再生要求に応じて再生することを特徴とする。
【発明の効果】
【００１０】
不審者が家へ侵入する状況など周辺の状況を外出先から認識することができる。
【発明を実施するための最良の形態】
【００１１】
以下、図面を参照して、本発明の実施形態を説明する。
（第１の実施形態）
まず、本発明の第１の実施形態について説明する。  
図１は、本発明の第１の実施形態に係るセキュリティシステムの構成を示す図である。
この第１の実施形態では、不審者に対して番犬が威嚇の感情を示したときに、番犬の周辺の状況を、番犬に備え付けられる電子機器から家の者が携帯している携帯情報端末へ直接伝える場合の例を挙げる。
【００１２】
図１に示されるように、セキュリティシステムは、電子機器１、情報記憶装置２、及び携帯情報端末５を含む。
【００１３】
電子機器１は、マイクやカメラを搭載した機器であり、番犬の頭部などに備え付けられる。この場合、カメラのレンズが番犬の正面方向を向くように固定される。この電子機器１は、番犬の鳴き声に対する声紋分析を行い、この音声分析において威嚇を示す声紋が検出された場合、周辺の状況を示す情報として画像情報及び音声情報を情報記憶装置２へ例えば無線で送信するとともに、当該情報の少なくとも一部を携帯情報端末５へ例えば無線で送信する。携帯情報端末５への送信においては、例えば静止画を一定時間毎に送るようにしてもよいし、一定時間内の動画を送るようにしてもよい。また、このような画像情報とメッセージのような文字情報とを組み合わせて送るようにしてもよい。
【００１４】
情報記憶装置２は、例えばホームサーバなどに相当するものであり、大容量の画像情報や音声情報を記憶することのできる記憶媒体を備えている。この情報記憶装置２は、電子機器１から送信されてくる情報を受信し、記憶媒体に記憶する。また、再生要求があったときには、当該情報記憶装置２に接続されるＡＶ機器２６（モニタ装置、スピーカなど）を通じて再生することができる。
【００１５】
携帯情報端末５は、例えばＰＤＡもしくは携帯電話機に相当するものであり、番犬が居る家の者が、電子機器１からの電波が届く範囲内で携帯している。この携帯情報端末５は、電子機器１から送信されてくる情報を受信し、画像を表示部の画面上に表示したり、音声をスピーカから出力したりする。また、携帯情報端末５を携帯する者は、当該携帯情報端末５を操作して、警備会社や警察に通話で状況を伝える、もしくは画像や文字情報を転送するなどの措置をとることができる。また、携帯情報端末５を操作することにより、電子機器１のスピーカから不審者に対して警告音を発したりすることも可能である。
【００１６】
次に、図２を参照して、電子機器１及び情報記憶装置２の各構成について説明する。  
電子機器１は、マイク１１、音声分析部１２、カメラ１３、メモリ１４、通信部１５、アンテナ１６、スピーカ１７、制御部１８、及びバッテリ１９を備えている。
【００１７】
マイク１１は、周辺の音声を集音するものであり、特に番犬の鳴き声を取り込む。  
音声分析部１２は、マイク１１を通じて取り込まれた番犬の鳴き声から声紋を分析し、各種の感情を判定するものである。特に「威嚇」を示す声紋が検出されたときには、その旨を制御部１８に通知する。「威嚇」の感情は、明確な基本波及び高調波が無く１０００Ｈｚ付近に強い周波数成分を有する２５０〜８０００Ｈｚの音声の後に、２４０〜３６０Ｈｚの基本波を有し、１５００Ｈｚまで明確な高調波を有し、及び８０００Ｈｚまで高調波を有する音声が０．８〜１．５秒間継続するような音声パターンに該当する。
【００１８】
カメラ１３は、周辺の状況を撮影するものであり、例えば不審者がカメラの視野に入っているときにはその不審者が写った画像を動画もしくは一定時間毎の静止画として取得する。  
メモリ１４は、例えばバッファであり、マイク１１で集音された音声やカメラ１３で撮影された画像などを記憶する。
【００１９】
通信部１５は、例えば無線ＬＡＮやBluetoothTMなどに準拠する通信装置であり、情報記憶装置２との間で無線通信を行うとともに、携帯情報端末５との間で無線通信を行う。
アンテナ１６は、情報記憶装置２との無線通信や携帯情報端末５との無線通信において電波を発したり受けたりするものである。
【００２０】
スピーカ１７は、音声を出力するものであり、例えば無線通信を介して携帯情報端末５から送られてくる指示に応じた音声（警告音や人の声など）を発したりする。  
制御部１８は、電子機器１全体の動作を司るプロセッサであり、例えば音声分析部１２により威嚇を示す声紋が検出された場合、周辺の状況を示す情報として画像情報及び音声情報を通信部１５により情報記憶装置２へ無線で送信するとともに、当該情報の少なくとも一部を携帯情報端末５へ無線で送信するための制御を行う。
【００２１】
バッテリ１９は、電子機器１を動作させるために必要な電源である。
【００２２】
一方、情報記憶装置２は、通信部２１、アンテナ２２、記憶部２３、制御部２４、及びＡＶ機器２６を備えている。
【００２３】
通信部２１は、例えば無線ＬＡＮやBluetoothTMなどに準拠する通信装置であり、電子機器１との間で無線通信を行う。  
アンテナ２２は、電子機器１との無線通信において電波を発したり受けたりするものである。
【００２４】
記憶部２３は、大容量の画像情報や音声情報を記憶することのできる記憶媒体（ハードディスクなど）である。  
制御部２４は、情報記憶装置２全体の動作を司るプロセッサであり、例えば電子機器１から送信されてくる画像情報や音声情報を記憶部２３に記憶したりする。
【００２５】
ＡＶ機器２６は、記憶部２３に記憶されている画像情報や音声情報を再生するものである。
【００２６】
次に、図３を参照して、携帯情報端末５の構成について説明する。なお、この図３に示される携帯情報端末５は、後述する各実施形態にも適用されるものである。  
携帯情報端末５は、通信部５１、アンテナ５２、記憶部５３、表示部５４、スピーカ５５、マイク５６、入力部５７、制御部５８、及びバッテリ５９を備えている。
【００２７】
通信部５１は、例えば無線ＬＡＮやBluetoothTMなどに準拠する通信装置であり、電子機器１との間で無線通信を行う。また、通信部５１に、電話回線を介して他の機器と通話を行うための装置が備えられていてもよい。  
アンテナ５２は、電子機器１との無線通信において電波を発したり受けたりするものである。
【００２８】
記憶部５３は、電子機器１から送信されてくる画像情報や音声情報などを記憶するメモリである。  
表示部５４は、電子機器１から送信されてくる画像情報などを表示するディスプレイである。  
スピーカ５５は、電子機器１から送信されてくる音声情報などを出力するものである。
マイク５６は、周辺の音声を集音するものである。
【００２９】
入力部５７は、ユーザが各種の入力操作を行うためのものである。  
制御部５８は、携帯情報端末５全体の動作を司るプロセッサであり、例えば電子機器１から送信されてくる画像情報や音声情報を表示部５４やスピーカ５５から出力するための制御を行ったり、ユーザの入力操作に応じて通話を行うための制御や画像や文字情報を警備会社などに転送するための制御を行ったりする。  
バッテリ５９は、携帯情報端末５を動作させるために必要な電源である。
【００３０】
次に、図４を参照して、同実施形態における動作を説明する。  
電子機器１において、制御部１８は、マイク１１を通じて番犬の鳴き声が検出されるまで待機し（ステップＡ１のＮｏ）、番犬の鳴き声が検出された場合（ステップＡ１のＹｅｓ）、音声分析部１２によってその声紋分析を行う（ステップＡ２）。ここで、威嚇を示す声紋が検出されない場合（ステップＡ３のＮｏ）、処理を終了する。一方、威嚇を示す声紋が検出された場合（ステップＡ３のＹｅｓ）、カメラ１３で撮影された画像情報及びマイク１１で集音された音声情報を含む情報を、通信部１５を通じて情報記憶装置２へ送信するとともに、当該情報の少なくとも一部を携帯情報端末５へ送信する（ステップＡ４）。これにより、携帯情報端末５の表示部５４及びスピーカ５５からそれぞれ画像情報及び音声情報が出力され、携帯情報端末５を携帯する者は、番犬の周辺で起こっている状況を知ることとなる。
【００３１】
一方、情報記憶装置２においては、制御部２４は、通信部２１を介して受信される画像情報及び音声情報を記憶部２３に記憶する（ステップＡ５）。また、再生要求を受けた場合には、制御部２４は、記憶部２３に記憶した画像情報及び音声情報を、当該情報記憶装置２に接続されるＡＶ機器２６を通じて再生する（ステップＡ６）。
【００３２】
このように第１の実施形態によれば、番犬が不審者に対して威嚇を示したときに、周辺の状況が画像情報及び音声情報として携帯情報端末５へ直接伝えられる。このため、携帯情報端末５を携帯する者は、番犬の周辺で起こっている状況をすぐに把握することができる。
【００３３】
（第２の実施形態）
次に、本発明の第２の実施形態について説明する。なお、前述の実施形態と共通する構成要素には同一の符号を付し、その詳細な説明を省略する。
【００３４】
図５は、本発明の第２の実施形態に係るセキュリティシステムの構成を示す図である。
この第２の実施形態では、前述した第１の実施形態の構成（図１参照）における電子機器からカメラを分離させた場合の例を挙げる。
【００３５】
図５に示されるように、セキュリティシステムは、電子機器１Ａ、カメラ装置１Ｂ、情報記憶装置２、及び携帯情報端末５を含む。
【００３６】
電子機器１Ａは、カメラを搭載していない点を除き、第１の実施形態で説明した電子機器１と同様である。但し、電子機器１Ａは、番犬の鳴き声に対する声紋分析において威嚇を示す声紋が検出された場合、周辺の状況を示す情報として音声情報をカメラ装置１Ｂへ無線で送信する。
【００３７】
カメラ装置１Ｂは、家の庭先や、屋根、柱など、不審者を撮影しやすい所に設定される。このカメラ装置１Ｂは、電子機器１Ａから音声情報が送られてきた場合に、この音声情報と当該カメラ装置１Ｂで撮影した画像情報とを合わせた情報を情報記憶装置２へ例えば有線で送信するとともに、当該情報の少なくとも一部を携帯情報端末５へ例えば無線で送信する。
【００３８】
情報記憶装置２は、第１の実施形態で説明したものと同様である。但し、本実施形態の情報記憶装置２は、カメラ装置１Ｂから送信されてくる情報を受信する。
【００３９】
携帯情報端末５は、第１の実施形態で説明したものと同様である。但し、本実施形態の携帯情報端末５は、カメラ装置１Ｂから送信されてくる情報を受信する。
【００４０】
次に、図６を参照して、電子機器１Ａ及びカメラ装置１Ｂの各構成について説明する。なお、情報記憶装置２の構成については前述した通りである。また、携帯情報端末５の構成についても前述した通りである（図３参照）。
【００４１】
電子機器１Ａは、前述の電子機器１（図２参照）の構成からカメラ１３を除いた構成となっている。このため、制御部１８は、音声分析部１２により威嚇を示す声紋が検出された場合、周辺の状況を示す情報として音声情報を通信部１５によりカメラ装置１Ｂへ無線で送信するための制御を行う。
【００４２】
カメラ装置１Ｂは、電子機器から分離させたカメラ１３、通信部１５Ｂ、アンテナ１６Ｂ、及び制御部１８Ｂを備えている。なお、カメラ１３の構成については、前述した通りである。通信部１５Ｂは、例えば無線ＬＡＮやBluetoothTMなどに準拠する無線通信装置と、ＵＳＢ（Universal Serial Bus）やIEEE 1394などに準拠する有線通信装置とを含み、電子機器１Ａとの間で無線通信を行うとともに、情報記憶装置２との間で有線通信を行う。アンテナ１６Ｂは、電子機器１Ａとの無線通信において電波を発したり受けたりするものである。制御部１８Ｂは、電子機器１Ａから音声情報が送られてきた場合、この音声情報とカメラ１３で撮影した画像情報とを合わせた情報を情報記憶装置２へ有線送信するとともに、当該情報の少なくとも一部を携帯情報端末５へ無線送信するための制御を行う。
【００４３】
次に、図７を参照して、同実施形態における動作を説明する。  
電子機器１において、制御部１８は、マイク１１を通じて番犬の鳴き声が検出されるまで待機し（ステップＢ１のＮｏ）、番犬の鳴き声が検出された場合（ステップＢ１のＹｅｓ）、音声分析部１２によってその声紋分析を行う（ステップＢ２）。ここで、威嚇を示す声紋が検出されない場合（ステップＡ３のＮｏ）、処理を終了する。一方、威嚇を示す声紋が検出された場合（ステップＢ３のＹｅｓ）、マイク１１で集音された音声情報を、通信部１５を通じてカメラ装置１Ｂへ送信する（ステップＢ４）。
【００４４】
カメラ装置１Ｂにおいて、制御部１８Ｂは、通信部１５Ｂを介して音声情報を受信すると、この音声情報とカメラ１３で撮影された画像情報とを含む情報を、通信部１５Ｂによって情報記憶装置２へ送信するとともに、当該情報の少なくとも一部を携帯情報端末５へ送信する（ステップＢ５）。これにより、携帯情報端末５の表示部５４及びスピーカ５５からそれぞれ画像情報及び音声情報が出力され、携帯情報端末５を携帯する者は、番犬の周辺で起こっている状況を知ることとなる。
【００４５】
一方、情報記憶装置２においては、制御部２４は、通信部２１を介して受信される画像情報及び音声情報を記憶部２３に記憶する（ステップＢ６）。また、再生要求を受けた場合には、制御部２４は、記憶部２３に記憶した画像情報及び音声情報を、当該情報記憶装置２に接続されるＡＶ機器２６を通じて再生する（ステップＢ７）。
【００４６】
このように第２の実施形態によれば、第１の実施形態と同様の効果が得られる上、カメラを番犬に搭載する必要がないので、番犬にかかる負担を軽減することができる。
【００４７】
（第３の実施形態）
次に、本発明の第３の実施形態について説明する。なお、前述の実施形態と共通する構成要素には同一の符号を付し、その詳細な説明を省略する。
【００４８】
図８は、本発明の第３の実施形態に係るセキュリティシステムの構成を示す図である。
この第３の実施形態では、不審者に対して番犬が威嚇の感情を示したときに、周辺の状況を、家の中に設置される情報記憶装置を経由して家の者が携帯している携帯情報端末へ伝える場合の例を挙げる。
【００４９】
図８に示されるように、セキュリティシステムは、電子機器１’、情報記憶装置２’、アクセスポイント３、ネットワークシステム４、及び携帯情報端末５を含む。
【００５０】
電子機器１’は、第１の実施形態で説明した電子機器１と同様である。但し、本実施形態の電子機器１’は、番犬の鳴き声が検出された場合、周辺の状況を示す情報として画像情報及び音声情報を情報記憶装置２’へ無線で送信する。この場合、電子機器１’では声紋分析を行わない。また、電子機器１’から携帯情報端末５へは直接情報を送信しない。
【００５１】
情報記憶装置２’は、第１の実施形態で説明した装備を有するほか、電子機器１に搭載していた音声分析部を備えている。また、情報記憶装置２’は、威嚇を示す声紋が検出された場合、画像情報及び音声情報を、アクセスポイント３を介して携帯情報端末５へ送信することが可能である。
【００５２】
アクセスポイント３は、情報記憶装置２’と外部のネットワークシステム４との間の接続処理を行うものである。このアクセスポイント３は、情報記憶装置２’に内蔵されていてもよい。
【００５３】
ネットワークシステム４は、電話会社が提供する電話回線やサービスプロバイダーが提供する通信回線を含み、情報記憶装置２’と携帯情報端末５との間の通信を可能とする。
【００５４】
携帯情報端末５は、第１の実施形態で説明したものと同様である。但し、本実施形態の携帯情報端末５は、ネットワークシステム４を介して情報記憶装置２’から送信されてくる情報を受信する。
【００５５】
次に、図９を参照して、電子機器１’及び情報記憶装置２’の各構成について説明する。なお、携帯情報端末５の構成については前述した通りである（図３参照）。
【００５６】
電子機器１’は、第１の実施形態で説明した電子機器１（図２参照）の構成からメモリ１４及び音声分析部１２を除いた構成となっている。このため、制御部１８は、マイク１１を通じて番犬の鳴き声が検出された場合、周辺の状況を示す情報として画像情報及び音声情報を通信部１５により情報記憶装置２’へ無線で送信するための制御を行う。
【００５７】
情報記憶装置２’は、前述の電子機器１（図２参照）の構成に音声分析部１２及び通信部２５を追加した構成となっている。また、前述の電子機器１（図２参照）の構成におけるメモリ１４の機能は、記憶部２３により代用されている。音声分析部１２は、電子機器１’から送られてくる音声情報に示される番犬の鳴き声から声紋を分析し、各種の感情を判定する。制御部２４は、音声分析部１２により威嚇を示す声紋が検出された場合、画像情報及び音声情報を、通信部２５によりアクセスポイント３及びネットワークシステム４を介して携帯情報端末５へ送信するための制御を行う。通信部２５は、アクセスポイント３及びネットワークシステム４を介して携帯情報端末５との間でネットワーク通信を行う。
【００５８】
次に、図１０を参照して、同実施形態における動作を説明する。  
電子機器１’において、制御部１８は、マイク１１を通じて番犬の鳴き声が検出されるまで待機し（ステップＣ１のＮｏ）、番犬の鳴き声が検出された場合（ステップＣ１のＹｅｓ）、カメラ１３で撮影された画像情報及びマイク１１で集音された音声情報を含む情報を、通信部１５を通じて情報記憶装置２’へ送信する（ステップＣ２）。
【００５９】
一方、情報記憶装置２’においては、制御部２４は、電子機器１’から送られてきた音声情報に基づき、音声分析部１２によってその声紋分析を行う（ステップＣ３）。ここで、威嚇を示す声紋が検出されない場合（ステップＣ４のＮｏ）、処理を終了する。一方、威嚇を示す声紋が検出された場合（ステップＣ４のＹｅｓ）、画像情報及び音声情報を含む情報を記憶部２３に記憶するとともに、当該情報を通信部２５を通じて携帯情報端末５へ送信する（ステップＣ５）。これにより、携帯情報端末５の表示部５４及びスピーカ５５からそれぞれ画像情報及び音声情報が出力され、携帯情報端末５を携帯する者は、番犬の周辺で起こっている状況を知ることとなる。
【００６０】
また、情報記憶装置２’において再生要求を受けた場合には、制御部２４は、記憶部２３に記憶した画像情報及び音声情報を、当該情報記憶装置２’に接続されるＡＶ機器２６を通じて再生する（ステップＣ６）。
【００６１】
このように第３の実施形態によれば、番犬が不審者に対して威嚇を示したときに、周辺の状況として画像情報及び音声情報が情報記憶装置２’からアクセスポイント３及びネットワーク４を経由して携帯情報端末５へ伝えられる。このため、携帯情報端末５を携帯する者は、家から遠く離れた遠隔地にいる場合であっても、番犬の周辺で起こっている状況を把握することができる。
【００６２】
（第４の実施形態）
次に、本発明の第４の実施形態について説明する。なお、前述の実施形態と共通する構成要素には同一の符号を付し、その詳細な説明を省略する。
【００６３】
図１１は、本発明の第４の実施形態に係るセキュリティシステムの構成を示す図である。  
この第４の実施形態では、前述した第３の実施形態の構成（図８参照）における電子機器からカメラを分離させた場合の例を挙げる。
【００６４】
図１１に示されるように、セキュリティシステムは、電子機器１Ａ’、カメラ装置１Ｂ、情報記憶装置２’、アクセスポイント３、ネットワークシステム４、及び携帯情報端末５を含む。
【００６５】
電子機器１Ａ’は、カメラを搭載していない点を除き、第３の実施形態で説明した電子機器１’と同様である。但し、電子機器１Ａ’は、番犬の鳴き声が検出された場合、周辺の状況を示す情報として音声情報を情報記憶装置２’へ無線で送信する。
【００６６】
カメラ装置１Ｂは、家の庭先や、屋根、柱など、不審者を撮影しやすい所に設定される。このカメラ装置１Ｂにより撮影された画像は、情報記憶装置２’へ送られる。
【００６７】
情報記憶装置２’は、第３の実施形態で説明したものと同様である。但し、本実施形態の情報記憶装置２’は、電子機器１Ａ’から送られてきた音声情報から威嚇を示す声紋が検出された場合、この音声情報とカメラ装置１Ｂで撮影した画像情報とを合わせた情報を、アクセスポイント３及びネットワークシステム４を介して携帯情報端末５へ送信する。
なお、アクセスポイント３、ネットワークシステム４、及び携帯情報端末５は、第３の実施形態で説明したものと同様である。
【００６８】
次に、図１２を参照して、電子機器１Ａ’、カメラ装置１Ｂ、及び情報記憶装置２’の各構成について説明する。なお、アクセスポイント３及びネットワークシステム４の各構成については前述した通りである。また、携帯情報端末５の構成についても前述した通りである（図３参照）。
【００６９】
電子機器１Ａ’は、前述の電子機器１’（図９参照）の構成からカメラ１３を除いた構成となっている。このため、制御部１８は、マイク１１を通じて番犬の鳴き声が検出された場合、周辺の状況を示す情報として音声情報を通信部１５により情報記憶装置２’へ無線で送信するための制御を行う。
【００７０】
カメラ装置１Ｂは、電子機器から分離させたカメラ１３、通信部１５Ｂ、及び制御部１８Ｂを備えている。なお、カメラ１３の構成については、前述した通りである。通信部１５Ｂは、例えばＵＳＢやIEEE 1394などに準拠する通信装置であり、情報記憶装置２’との間で有線通信を行う。制御部１８Ｂは、カメラ１３で撮影される画像情報を、通信部１５Ｂを介して情報記憶装置２’へ送信する。
【００７１】
なお、本実施形態における情報記憶装置２’中の通信部２５は、前述の第３実施形態の場合と異なり、例えば無線ＬＡＮやBluetoothTMなどに準拠する無線通信装置と、ＵＳＢやIEEE 1394などに準拠する有線通信装置とを含み、アクセスポイント３及びネットワークシステム４を介して携帯情報端末５との間でネットワーク通信を行うとともに、カメラ装置１Ｂ’との間で有線通信を行う。また、制御部２４は、音声分析部１２により威嚇を示す声紋が検出された場合、カメラ装置１Ｂ’から送られてきた画像情報と電子機器１Ａ’から送られてきた音声情報とを合わせた情報を、通信部２５によりアクセスポイント３及びネットワークシステム４を介して携帯情報端末５へ送信するための制御を行う。
【００７２】
次に、図１３を参照して、同実施形態における動作を説明する。  
電子機器１Ａ’において、制御部１８は、マイク１１を通じて番犬の鳴き声が検出されるまで待機し（ステップＤ１のＮｏ）、番犬の鳴き声が検出された場合（ステップＤ１のＹｅｓ）、マイク１１で集音された音声情報を含む情報を、通信部１５を通じて情報記憶装置２’へ送信する（ステップＤ２）。
【００７３】
一方、情報記憶装置２’においては、制御部２４は、電子機器１Ａ’から送られてきた音声情報に基づき、音声分析部１２によってその声紋分析を行う（ステップＤ３）。ここで、威嚇を示す声紋が検出されない場合（ステップＤ４のＮｏ）、処理を終了する。一方、威嚇を示す声紋が検出された場合（ステップＤ４のＹｅｓ）、カメラ装置１Ｂ’から画像情報を取得し（ステップＤ５）、画像情報及び音声情報を含む情報を記憶部２３に記憶するとともに、当該情報を通信部２５を通じて携帯情報端末５へ送信する（ステップＤ６）。これにより、携帯情報端末５の表示部５４及びスピーカ５５からそれぞれ画像情報及び音声情報が出力され、携帯情報端末５を携帯する者は、番犬の周辺で起こっている状況を知ることとなる。
【００７４】
また、情報記憶装置２’において再生要求を受けた場合には、制御部２４は、記憶部２３に記憶した画像情報及び音声情報を、当該情報記憶装置２’に接続されるＡＶ機器２６などを通じて再生する（ステップＤ７）。
【００７５】
このように第４の実施形態によれば、第３の実施形態と同様の効果が得られる上、カメラを番犬に搭載する必要がないので、番犬にかかる負担を軽減することができる。
【００７６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００７７】
例えば、上記の各実施形態に示した無線通信の部分を有線通信に代えても良く、逆に、有線通信の部分を無線通信に代えても良い。また、音声分析部において「威嚇」を示す感情のほか、「寂しさ」や「フラストレーション」を示す感情が検出された場合も、携帯情報端末にその旨を通知するようにしてもよい。また、上記の各実施形態では番犬を利用している場合を示したが、犬に限らず、他の動物を利用することも可能である。また、上記の各実施形態では、周辺の状況を、家の者が携帯している携帯情報端末へ伝える場合の例を示したが、これに加えて警備会社の担当者や隣人などの特定の者が携帯する携帯情報端末へも伝えるようにしてもよい。
【図面の簡単な説明】
【００７８】
【図１】本発明の第１の実施形態に係るセキュリティシステムの構成を示す図。
【図２】同実施形態における電子機器及び情報記憶装置の各構成を説明するための図。
【図３】携帯情報端末の構成を説明するため図。
【図４】同実施形態における動作を示すフローチャート。
【図５】本発明の第２の実施形態に係るセキュリティシステムの構成を示す図。
【図６】同実施形態における電子機器及びカメラ装置の各構成を説明するための図。
【図７】同実施形態における動作を示すフローチャート。
【図８】本発明の第３の実施形態に係るセキュリティシステムの構成を示す図。
【図９】同実施形態における電子機器及び情報記憶装置の各構成を説明するための図。
【図１０】同実施形態における動作を示すフローチャート。
【図１１】本発明の第４の実施形態に係るセキュリティシステムの構成を示す図。
【図１２】同実施形態における電子機器、カメラ装置、及び情報記憶装置の各構成を説明するための図。
【図１３】同実施形態における動作を示すフローチャート。
【符号の説明】
【００７９】
１，１Ａ…電子機器、１Ｂ…カメラ装置、２…情報記憶装置、３…アクセスポイント、４…ネットワークシステム、５…携帯情報端末、１１…マイク、１２…音声分析部、１３…カメラ、１４…メモリ、１５…通信部、１６…アンテナ、１７…スピーカ、１８…制御部、１９…バッテリ、２１…通信部、２２…アンテナ、２３…記憶部、２４…制御部、２６…ＡＶ機器、５１…通信部、５２…アンテナ、５３…記憶部、５４…表示部、５５…スピーカ、５６…マイク、５７…入力部、５８…制御部、５９…バッテリ。
【図１】
2005107895.tif 000003
【図２】
2005107895.tif 000004
【図３】
2005107895.tif 000005
【図４】
2005107895.tif 000006
【図５】
2005107895.tif 000007
【図６】
2005107895.tif 000008
【図７】
2005107895.tif 000009
【図８】
2005107895.tif 000010
【図９】
2005107895.tif 000011
【図１０】
2005107895.tif 000012
【図１１】
2005107895.tif 000013
【図１２】
2005107895.tif 000014
【図１３】
2005107895.tif 000015